(57)【要約】      （修正有）【課題】首の高さが調節可能な枕を提供する。【解決手段】首の高さが調節可能な枕であって、枕カバー１、枕の芯材２、高さ調節機器を含み，高さ調節機器は、エアバッグ３、接続管４、手動加圧装置５、デコンプレッション弁６を含み、枕カバーは枕の芯材を包み込むように備え付けられており、エアバッグは、枕カバーあるいは枕の芯材内部の人体の首に対応する位置に備え付けられており、エアバッグは、接続管に繋がっており、接続管は、エアバッグから遠い方の一端から、枕カバーあるいは枕の芯材を貫いて、手動加圧装置に繋がっており、接続管には、デコンプレッション弁が備え付けられている。【選択図】図３
0003229269.tif 000002
【実用新案登録請求の範囲】
【請求項１】
首の高さが調節可能な枕であります。その特徴は以下にあります。枕カバー、枕の芯材、
高さ調節機器が含まれ，前記高さ調節機器には、エアバッグ、接続管、手動加圧装置、デ
コンプレッション弁が含まれます。前記枕カバーは枕の芯材を包み込むように備え付けら
れています。エアバッグは、枕カバーあるいは枕の芯材内部の、人体の首に対応する位置
に備え付けられています。前記エアバッグは、接続管に繋がっています。そしてその接続
管は、エアバッグから遠い方の一端から、枕カバーあるいは枕の芯材を貫いて、手動加圧
装置に繋がっています。また接続管には、デコンプレッション弁が備え付けられています
。
【請求項２】
特許請求項１に記載される首の高さが調節可能な枕であります。その特徴は以下にありま
す。前記枕カバーと接続管の対応する位置にリーチスルーホールが備え付けられています
。
【請求項３】
特許請求項１に記載される首の高さが調節可能な枕であります。その特徴は以下にありま
す。前記枕カバーとエアバッグの間に固定接続または取り外し可能接続があります。
【請求項４】
特許請求項１に記載される首の高さが調節可能な枕であります。その特徴は以下にありま
す。前記枕の芯材と接続管の対応する位置にリーチスルーホールが備え付けられています
。
【請求項５】
特許請求項１に記載される首の高さが調節可能な枕であります。その特徴は以下にありま
す。前記枕の芯材とエアバッグの間に固定接続または取り外し可能接続があります。
【請求項６】
特許請求項１に記載される首の高さが調節可能な枕であります。その特徴は以下にありま
す。前記手動圧力装置は弾性中空体であります。
【考案の詳細な説明】
【技術分野】
【０００１】
当該実用新案は家庭用品技術分野に属し、具体的には首の高さを調節できる枕に関連して
います。
【背景技術】
【０００２】
人間の場合、毎日、睡眠に費やす時間がほぼ１日の三分の一であります。睡眠の質の良し
悪しは、人々の精神状態や体の健康に直接に影響を及ぼします。寝る時に枕の上に頭を置
くのが普通で、枕が欠かせない生活用品になっています。
【０００３】
また、枕に対する要求は人によって異なり、特に、頸椎症の方は枕の高さに対するニーズ
が異なります。一般的に、市販の枕は高度調節機能を持たないので、特定の高さをカスタ
マイズする必要があります。枕をカスタマイズしても、使用時間に応じて変形したり、高
さが下がったりして、睡眠には適していません。
【考案の開示】
【０００４】
当該実用新案の目的は、前述の背景技術において指摘されている問題を解決するために、
首の高さが調節可能な枕を提供することにあります。
【０００５】
上記の目的を達成するために、当該実用新案が提供する技術解決策は、以下の通りです：
首の高さが調節可能な枕であります。その構造は枕カバー、枕の芯材、高さ調節機器が含
まれ，高さ調節機器には、エアバッグ、接続管、手動加圧装置、デコンプレッション弁が
含まれます。枕カバーは枕の芯材を包み込むように備え付けられています。エアバッグは
、枕カバーあるいは枕の芯材内部の、人体の首に対応する位置に備え付けられています。
またエアバッグは、接続管に繋がっています。そしてその接続管は、エアバッグから遠い
方の一端から、枕カバーあるいは枕の芯材を貫いて、手動加圧装置に繋がっています。ま
た接続管には、デコンプレッション弁が備え付けられています。
【０００６】
最適案として、枕カバーと接続管の対応する位置にリーチスルーホールが備え付けられて
います。
【０００７】
最適案として、枕カバーとエアバッグの間に固定接続または取り外し可能接続があります
。
【０００８】
最適案として、枕の芯材と接続管の対応する位置にリーチスルーホールが備え付けられて
います。
【０００９】
最適案として、枕の芯材とエアバッグの間に固定接続または取り外し可能接続があります
。
【００１０】
最適案として、手動圧力装置は弾性中空体であります。
【００１１】
既存技術と比べ、当該実用新案件は、合理的なデザインとシンプルな構造を兼ね備えてい
ます。エアバッグの高さは、さまざまな用途のニーズに合わせて、快適性に影響を与える
ことなく、自由に調整できます。操作が便利で、製造コストを安く抑えられています。そ
してコストを安く抑えられた分、消費者が使ってみようと思う敷居を低くすることができ
ました。プロモーションが成功する見込みは大いにあります。
【図面の簡単な説明】
【００１２】
【図１】当該実用新案の正面図であります。
【図２】当該実用新案の背面図であります。
【図３】当該実用新案の断面構造図であります。
【図４】当該実用新案の内部構造図であります。
【００１３】
図の中：1-枕カバー，2-枕の芯材，3-エアバッグ，4-接続管，5-手動加圧装置，6-デコン
プレッション弁，7-リーチスルーホール。
【考案を実施するための最良の形態】
【００１４】
当該実用新案実施方法の目的、技術解決策と利点を明確にするため、当該実用新案実施方
法における図解と併せて、当該実用新案実施方法の技術解決策を明確かつ完全に説明しま
す。上述の実施方法が、当該実用新案の一部の実施方法であり、すべての実施方法ではな
いのは明らかです。当該実用新案実施方法に基づいて当該分野における一般の技術者が創
造的な作業をしないことを前提としており、取得された他のすべての実用新案実施方法は
当該実用新案の保護の範囲に属します。したがって、以下、図解に示される当該実用新案
の実施方法についての詳細な説明は、当該実用新案の範囲を限定するものではなく、当該
実用新案の選択的な実施方法のみを示すものであります。当該実用新案実施方法に基づい
て当該分野における一般の技術者が創造的な作業をしないことを前提として、取得された
他のすべての実用新案実施方法は当該実用新案の保護の範囲に属します。
【００１５】
当該実用新案の説明において、理解が必要なのは、「中心」、「縦」、「横」、「長さ」
、「幅」、「厚さ」、「上」、「下」、「前」、 「後ろ」、「左」、「右」、「垂直」
、「水平」、「頂」、「底」、「内側」、「外側」、「時計回り」、「反時計回り」など
で示される方向あるいは位置関係の用語です。これらは図解によって示される方向あるい
は位置関係の用語であり、当該実用新案の説明を簡素化させるものであります。
【００１６】
定める設備や素子が特定な方向を持たなければならなくて、特定の方向で構築と操作する
指示や暗示ではありません。
【００１７】
したがって、当該実用新案を制限するものと理解してはなりません。
【００１８】
当該実用新案において、特に明確に指定および定義されていない限り、「備え付ける」、
「繋がる」、「接続」、「固定」などの用語は広義に理解されるべきであり、例えば、固
定接続であってもよく、取り外し可能接続であってもよく、一体となっていてもいいとい
うことです。機械的な接続でも電気的な接続でもよく、直接接続されていてもよく、中間
メディアを介して間接的に接続されていてもよく、2つの要素内部の連結であっても、あ
るいは2つの要素の相互作用関係であってもかまいません。当該分野における一般の技術
者にとって、当該実用新案における上記の特定用語の意味は、特定の状況に従って理解す
ることができるということです。
【００１９】
当該実用新案において、特に明確に指定および定義されていない限り、第1特徴が第2特徴
の「上」または「下」にある場合には、第1特徴と第2特徴が直接接触することが含まれて
もよい、第1特徴と第2特徴が直接接触することなく、それらの間の別の特徴を通じる接触
が含まれてもよい。その上、第1特徴が第2特徴の「の上」、「上方」、「上側」には第1
特徴が第2特徴の真上と斜め上方にあり、または第1特徴が第2特徴より高いことだけを示
します。第1特徴が、第2特徴の「の下」、「下方」、および「下側」には第1特徴が第2特
徴の直下および斜め下方にあり、または第1特徴の高さが第2特徴より低いことだけを示し
ます。
【００２０】
当該実用新案の説明において、説明が必要なのは、「上」、「下」、「左」、 「右」、
「内」、「外」などで示される方向あるいは位置関係の用語です。これらは図解によって
示される方向あるいは位置関係の用語であり、定める設備や素子が特定な方向を持たなけ
ればならなくて、特定の方向で構築と操作する指示や暗示ではありません。したがって、
当該実用新案を制限するものと理解してはなりません。
【００２１】
図1-4をご参考になさってください。当該実用新案が技術解決策を提供します。首の高さ
が調節可能な枕であります。枕カバー１、枕の芯材２、高さ調節機器が含まれ，前記高さ
調節機器には、エアバッグ３、接続管４、手動加圧装置５、デコンプレッション弁6が含
まれます。前記枕カバー１は枕の芯材２を包み込むように備え付けられています。エアバ
ッグ３は、枕カバー１あるいは枕の芯材２内部の、人体の首に対応する位置に備え付けら
れています。前記エアバッグ３は、接続管４に繋がっています。そしてその接続管４は、
エアバッグ３から遠い方の一端から、枕カバー１あるいは枕の芯材２を貫いて、手動加圧
装置５に繋がっています。また接続管４には、デコンプレッション弁６が備え付けられて
います。
【００２２】
その内、当該実施例においては、上記枕カバー１と接続管４の対応する位置にリーチスル
ーホール７が備え付けられています。
【００２３】
その内、当該実施例においては、上記枕カバー１とエアバッグ３の間に固定接続または取
り外し可能接続があります。
【００２４】
その内、当該実施例においては、上記枕の芯材２と接続管４の対応する位置にリーチスル
ーホール７が備え付けられています。
【００２５】
その内、当該実施例においては、上記枕の芯材２とエアバッグ３の間に固定接続または取
り外し可能接続があります。
【００２６】
その内、当該実施例においては、上記手動圧力装置５は弾性中空体であります。
【００２７】
当該実用新案は、合理的なデザインとシンプルな構造を兼ね備えています。エアバッグの
高さは、さまざまな用途のニーズに合わせて、快適性に影響を与えることなく、自由に調
整できます。操作が便利で、製造コストを安く抑えられています。そしてコストを安く抑
えられた分、消費者が使ってみようと思う敷居を低くすることができました。プロモーシ
ョンが成功する見込みは大いにあります。
【００２８】
工作原理：枕の上に横になって、首をエアバッグ3の位置に対応させ、デコンプレッショ
ン弁６を開き、手で手動加圧装置５を握って、手動加圧装置5から空気を押し出し、接続
管４を通してエアバッグ3に空気を入れます。エアバッグ3の空気をユーザーが希望する高
さまで入れた時、手動加圧装置5からの押し出しをストップし、デコンプレッション弁６
をロックして、エアバッグ3を密封状態にすることで、枕の高さの調節を完成させます。
エアバッグ３を使用しない場合は更に、エアバッグ3内部の空気を空にするまで、デコン
プレッション弁６を開きます。エアバッグ3内部の空気の充填量を再調整する必要がある
場合には、再びコンプレッション弁６を開き、手動加圧装置5から空気を押し出して、ユ
ーザーの希望する高さまで空気を入れます。
【００２９】
枕カバー1、枕の芯材2およびエアバッグ3は別々に提供してもかまいません。あるいは、
枕カバー1とエアバッグ3を組み合わせて使用してもいいし、枕の芯材2とエアバッグ3を組
み合わせて使用してもよく、ユーザーの様々な希望を満たすことができます。
【００３０】
当該実用新案は、合理的なデザインとシンプルな構造を兼ね備えています。エアバッグ３
の高さは、さまざまな用途のニーズに合わせて、快適性に影響を与えることなく、自由に
調整できます。操作が便利で、製造コストを安く抑えられています。そしてコストを安く
抑えられた分、消費者が使ってみようと思う敷居を低くすることができました。プロモー
ションが成功する見込みは大いにあります。
【００３１】
当該分野の技術者にとって、当該実用新案は、上に例示された実施例の詳細に限定される
ものではありません。当該実用新案の精神または基本的な特徴から逸脱することなく、他
の具体的な形で当該実用新案を実現することができることは明らかであります。したがっ
て、いずれの点から見ても、実施例は、例示的かつ非限定的なものと見なすべきです。そ
して当該実用新案の範囲は、上記の説明に限定されるものではなく、添付の特許請求の範
囲によって定義されるものです。したがって、同等の要件を備えているもの、および範囲
内のすべての変更が当該実用新案に含まれ、特許請求の範囲の全ての図解マックは、関連
する特許請求の範囲を限定するものと見なすべきではありません。
【００３２】
また、当該説明書は実施方法に従って説明されていますが、各実施方法には一つの独立し
た技術案のみが含まれるわけではありません。説明書では、明確に説明するためにこのよ
うな説明方法を採っているだけです。当該分野の技術者が説明書を一つの全体と見做し、
各実施例における技術解決案も適切に採り上げつつ、当該分野の技術者が理解可能な他の
実施方法を探っていく形が望ましいものと思われます。
【図１】
0003229269.tif 000003
【図２】
0003229269.tif 000004
【図３】
0003229269.tif 000005
【図４】
0003229269.tif 000006
【手続補正書】
【提出日】令和2年9月1日(2020.9.1)
【手続補正１】
【補正対象書類名】実用新案登録請求の範囲
【補正対象項目名】全文
【補正方法】変更
【補正の内容】
【実用新案登録請求の範囲】
【請求項１】
首の高さが調節可能な枕であって、枕カバー、枕の芯材、高さ調節機器を含み，前記高さ
調節機器は、エアバッグ、接続管、手動加圧装置、デコンプレッション弁が含み、前記枕
カバーは枕の芯材を包み込むように備え付けられており、前記エアバッグは、枕カバーあ
るいは枕の芯材内部の人体の首に対応する位置に備え付けられており、前記エアバッグは
、接続管に繋がっており、前記接続管は、エアバッグから遠い方の一端から、枕カバーあ
るいは枕の芯材を貫いて、手動加圧装置に繋がっており、接続管には、デコンプレッショ
ン弁が備え付けられている、ことを特徴とする首の高さが調節可能な枕。
【請求項２】
請求項１に記載の首の高さが調節可能な枕であって、前記枕カバーと接続管の対応する位
置にリーチスルーホールが備え付けられている、ことを特徴とする首の高さが調節可能な
枕。
【請求項３】
請求項１に記載の首の高さが調節可能な枕であって、前記枕カバーとエアバッグの間は固
定的に接続または取り外し可能に接続される、ことを特徴とする首の高さが調節可能な枕
。
【請求項４】
請求項１に記載の首の高さが調節可能な枕であって、前記枕の芯材と接続管の対応する位
置にリーチスルーホールが備え付けられている、ことを特徴とする首の高さが調節可能な
枕。
【請求項５】
請求項１に記載の首の高さが調節可能な枕であって、前記枕の芯材とエアバッグの間は固
定的に接続または取り外し可能に接続される、ことを特徴とする首の高さが調節可能な枕
。
【請求項６】
請求項１に記載の首の高さが調節可能な枕であって、前記手動加圧装置は弾性中空体であ
る、ことを特徴とする首の高さが調節可能な枕。